(57)【要約】  本発明のシステム及び方法は、乗客拘束システムに関し、乗客拘束システムは、拘束装置及びロック機構、及び複数の光源を含む照明システムを含む。複数の光源の少なくとも一部は、拘束装置と一体になっている。さらに、照明システムは、ロック機構の構成の指示を受け取り、指示がロック解除構成である場合に複数の光源によって第１の点灯方式を実行し、表示がロック構成である場合に複数の光源によって第２の点灯方式を実行する。【選択図】図５
2020519515.tif 000002
【特許請求の範囲】
【請求項１】
拘束装置及びロック機構を含む乗客拘束システムと、
複数の光源を含む照明システムと、
を備えるシステムであって、
前記複数の光源の少なくとも一部は、前記拘束装置と一体化され、前記照明システムは、
前記ロック機構の構成の指示を受け取り、
前記指示がロック解除構成である場合、前記複数の光源によって第１の点灯方式を実行し、
前記指示がロック構成である場合、前記複数の光源によって第２の点灯方式を実行する、
ように構成される、システム。
【請求項２】
前記乗客拘束システムは、前記拘束装置が係合位置にある場合に前記ロック構成を示す信号を検出するように構成された近接センサーを備える、請求項１に記載のシステム。
【請求項３】
前記近接センサーは、前記拘束装置又は前記ロック機構と一体であり、感知構成要素と相互作用するように構成される、請求項２に記載のシステム。
【請求項４】
前記照明システムは、前記複数の光源から放射された光を遮断又は透過するように作動されるように構成されたスクリーンを備える、請求項１に記載のシステム。
【請求項５】
センサーデータを処理して、前記ロック機構の前記構成の前記指示を判定して前記指示を前記照明システムに伝えるように構成された制御装置を備える、請求項１に記載のシステム。
【請求項６】
前記第１の点灯方式は、前記複数の光源から光を放射することを含み、前記第２の点灯方式は、前記複数の光源から光を放射しないことを含む、請求項１に記載のシステム。
【請求項７】
前記乗客拘束システムの前記拘束装置は、乗物乗客の頭部上に適合するように構成された頭上拘束機構を含み、前記乗客拘束システムは、前記乗物乗客に下向きの力を付与する垂直ベクトル成分と、前記乗物乗客の胴体に対して前後方向の力を付与する前後方向ベクトル成分とを有する力を及ぼすように構成され、前記複数の光源は、前記頭上拘束機構内に埋め込まれる、請求項１に記載のシステム。
【請求項８】
前記システムは、感知構成要素を含む近接センサーセットを備え、前記感知構成要素は、前記前記近接センサーセットの近接センサーによって検出された信号を放射するように構成され、前記信号は、前記感知構成要素と前記近接センサーとが相互に離間して閾値距離を下回る場合に前記ロック機構を作動させて前記ロック構成にするために、制御装置に伝達される、請求項１に記載のシステム。
【請求項９】
前記ロック機構は、前記ロック機構が前記ロック構成である場合に、前記拘束装置が前記ロック機構の周りで回転するのを防止するように構成されるか又は前記拘束装置が前記ロック機構に対して並進するのうを防止するように構成される、請求項１に記載のシステム。
【請求項１０】
前記照明システムは、前記拘束装置が前記ロック機構の周りで回転するか又は前記ロック機構に対して並進するのを前記ロック機構が防止することに基づいて、前記複数の光源からの光の放射を制御するように構成される、請求項９に記載のシステム。
【請求項１１】
乗物車両の拘束システムからロック指示を受け取るステップであって、前記乗物車両は、乗物システム内で作動するように構成される、ステップと、
前記ロック指示に基づいて前記拘束システムがロック構成であるか又はロック解除構成であるかを判定するステップと、
前記拘束システムが前記ロック解除構成であるとの判定に応答して、前記拘束システムの拘束装置と一体になった複数の発光体によって第１の点灯方式を実行するステップと、
前記拘束システムが前記ロック構成であるとの判定に応答して、前記拘束システムの拘束装置と一体になった前記複数の発光体によって第２の点灯方式を実行するステップと、
を含む、方法。
【請求項１２】
前記ロック指示を受け取るステップは、前記拘束システムの回転を防止するために歯車止めが前記拘束システムの歯車と係合するか否かを示すデータを受け取るステップを含む、請求項１１に記載の方法。
【請求項１３】
前記第１の点灯方式を実行するステップは、所定の光の放射パターンを放射するステップを含む、請求項１１に記載の方法。
【請求項１４】
前記第２の点灯方式を実行するステップは、前記第１の点灯方式の第１の光色とは異なる第２の光色を連続的に放射するステップを含む、請求項１１に記載の方法。
【請求項１５】
前記乗物システムを作動させる前に前記拘束システムをロックするステップと、
前記乗物車両から乗客が離脱する前に前記拘束システムをロック解除するステップと、をさらに含む、請求項１１に記載の方法。
【請求項１６】
ロック機構及び拘束装置を含む拘束システムと、
前記拘束システムの前記拘束装置と一体になった複数の光源を含む照明システムと、
制御装置と、
を備える制御システムであって、前記制御装置は、
１又は２以上のプロセッサと、
命令を格納するメモリデバイスと、
を備え、
前記１又は２以上のプロセッサによって実行された場合の前記命令は、前記１又は２以上のプロセッサに、
前記拘束システムのロック構成のロック指示を受け取り、
前記拘束システムが前記受け取ったロック指示に基づいてロック解除構成であると判定することに応答して、前記照明システムに、複数の光源によって第１の点灯方式を実行するように指示し、
前記拘束システムが前記受け取ったロック表示に基づいてロック構成であると判定することに応答して、記照明システムに、前記複数の光源によって第２の点灯方式を実行するように指示するように構成される、制御システム。
【請求項１７】
前記拘束システムは、前記ロック構成を示す第１のデータセットの前記制御装置への無線通信を可能にするように構成された第１の送受信機を含む、請求項１６に記載の制御システム。
【請求項１８】
前記照明システムは、実行された点灯方式を示す第２のデータセットの無線通信を可能にするように構成された第２の送受信機を含む、請求項１６に記載の制御システム。
【請求項１９】
前記第１の点灯方式は、光の放射を遮断することを含む、請求項１６に記載の制御システム。
【請求項２０】
前記照明システムは、前記複数の光源から放射された光が前記拘束システムから視認可能であることを可能にするために開放するように構成されたスクリーンを含む、請求項１６に記載の制御システム。
【発明の詳細な説明】
【技術分野】
【０００１】
（関連出願の相互参照）
本出願は、２０１７年４月２９日出願の米国特許仮出願第６２／４９２，１２８号「一体式照明を有する乗客拘束装置」の利益を主張するものであり、その開示内容全体は全ての意図及び目的のために引用により本明細書に組み込まれる。
【０００２】
（技術分野）
本開示は、一般には遊園地様式の乗物に関し、より具体的には、来園者を遊園地様式の乗物の内部に拘束するシステム及び方法に関する。
【背景技術】
【０００３】
大部分の遊園地様式乗物は、乗客を乗物経路、例えば軌道に沿って運ぶ乗物車両を含む。乗物のコースにわたって、乗物経路は、トンネル、曲がり角、上り坂、下り坂、ループなどを含むいくつかの特徴部を含むことができる。これら及び他の特徴部の組み合わせを含む典型的な遊園地乗物は数分間続くことができるだけとしても、乗物の作動中に、乗物乗客は、乗物車両内の乗物乗客を適切な位置又は向き以外に動かす力を受ける場合がある。したがって、乗物の作動中に乗物乗客を拘束することが望ましい。
【０００４】
さらに、乗物車両が乗物経路に沿って発車するのが許可される前に拘束装置の適切な作動を確認するために遊園地オペレータ（例えば、作業者）が乗客を検査することが有益であろう。しかしながら、現在、乗物乗客が（例えば、拘束システムによって）適切に固定されていることを保証するための遊園地作業者による手動の検査の種々の態様が、本発明の実施形態によって克服できる非効率性に起因して遅延を引き起こす場合があることが認識されている。
【発明の概要】
【課題を解決するための手段】
【０００５】
当初権利主張された主題と範囲に相応した特定の実施形態を以下に要約する。これらの実施形態は、主張する主題の範囲を制限することは意図されず、むしろ、これらの実施形態は、主題の可能な形態の概要を提示することだけが意図されている。実際には、本発明の主題は、以下に示す実施形態に類似する又はそれとは異なる場合がある様々な形態を包含することができる。
【０００６】
一実施形態によれば、システムは、乗客拘束システム及び照明システムを含む。乗客拘束システムは、拘束装置及びロック機構を含む。照明システムは、複数の光源を含み、複数の光源の少なくとも一部は、拘束装置と一体になっている。さらに、照明システムは、ロック機構の構成の指示を受け取り、指示がロック解除構成である場合に複数の光源によって第１の点灯方式を実行し、表示がロック構成である場合に複数の光源によって第２の点灯方式を実行するように作動する。
【０００７】
一実施形態によれば、方法は、乗物システム内で作動する乗物車両の拘束システムからロック指示を受け取るステップを含む。この方法は、ロック指示に基づいて拘束システムがロック構成であるか又はロック解除構成であるかを判定するステップと、拘束システムがロック解除構成であるとの判定に応答して、拘束システムの拘束装置と一体になった複数の発光体によって第１の点灯方式を実行するステップと、拘束システムがロック構成であるとの判定に応答して、拘束システムの拘束装置と一体になった複数の発光体によって第２の点灯方式を実行するステップとをさらに含む。
【０００８】
一実施形態によれば、制御システムは、ロック機構及び拘束装置を含む拘束システムを含む。制御システムは、拘束システムの拘束装置と一体になった複数の光源を含む照明システムを含む。さらに、制御システムは、１又は２以上のプロセッサと命令を格納するメモリデバイスとを含む制御装置を含み、１又は２以上のプロセッサによって実行された場合、命令は、１又は２以上のプロセッサに、拘束システムのロック構成のロック指示を受け取り、拘束システムが受け取ったロック指示に基づいてロック解除構成であると判定することに応答して、照明システムに、複数の光源によって第１の点灯方式を実行するように指示し、拘束システムが受け取ったロック指示に基づいてロック構成であると判定することに応答して、照明システムに、複数の光源によって第２の点灯方式を実行するように指示するようになっている。
【０００９】
本開示の上記及び他の特徴、態様、及び利点は、図面を通して同様の文字が同様の部品を表す添付図面を参照して、以下の詳細な説明を読むことでよりよく理解できるはずである。
【図面の簡単な説明】
【００１０】
【図１】本開示の態様による、乗物システムの実施形態の側方斜視図を示す。
【図２】本開示の態様による、図１の乗物システムの乗物車両の実施形態の側方斜視図を示す。
【図３】本開示の態様による、拘束システムをロック構成で使用する図１の乗物システムの乗物車両の実施形態の斜視図を示す。
【図４】本開示の態様による、図３の拘束システムをロック解除構成で使用する図１の乗物システムの乗物車両の実施形態の斜視図を示す。
【図５】本開示の態様による、組み込まれた照明システムを使用する図３の拘束システムの実施形態の概略側面図を示す。
【図６】本開示の態様による、図３の拘束システムに関連したロック機構の実施形態の概略図を示す。
【図７】本開示の態様による、照明システムの光が点灯方式を実行するプロセスの流れ図を示す。
【図８】本開示の態様による、照明システムの光が点灯又は消灯するプロセスの流れ図を示す。
【発明を実施するための形態】
【００１１】
本開示の１又は２以上の特定の実施形態について以下で説明する。これらの実施形態の簡潔な説明を与えるために、本明細書では実際の実施構成の全ての特徴を説明するわけではない。このようないずれかの実際の実施構成の開発においては、あらゆるエンジニアリング又は設計プロジェクトの場合のように、システム関連及び業務関連の制約の遵守等の開発者の特定の目標を達成するために、多くの実施構成特有の決定を行う必要があることを理解されたい。更に、このような開発努力は、複雑で時間がかかることがあるが、それにも関わらず、本開示の利益を得る当業者にとっては、設計、製作、及び製造の日常的な仕事であることは理解されたい。
【００１２】
典型的な遊園地乗物システム（例えば、ジェットコースター、ダークライド、バンパーカー）は、一連の特徴部によって乗物経路（例えば、軌道）をたどる１又は２以上の乗物車両を含む。これらの特徴部としては、トンネル、曲がり角、上り坂、下り坂、ループなどを挙げることができる。乗物車両が高速で移動し、非直線経路に沿って移動することが多いので、乗物車両の中に乗っている乗客は、特に乗客が乗物車両に固定されていない場合、乗客の望ましくない移動をもたらす可能性がある力を受ける場合がある。したがって、乗物システムの作動中に、乗客を拘束する（例えば、固定する）ことが望ましい。
【００１３】
以下の考察は、概して特定の娯楽用途において使用される遊園地乗物における乗物システムとの関連において提示されているが、このような関連状況における実施例及び説明の提示は、現実世界の実施例及び用途の例を提示することによって説明を容易にするためにすぎない。実際には、本明細書で検討される照明システム及び拘束システムは、乗物システムだけでなく、数例を挙げると、輸送システム、航空システム、仮想現実（ＶＲ）システム及び自動車システムに対しても特有の利点を与えることができる。
【００１４】
以上を考慮して、特定の乗物システムにおいて、典型的には、オペレータ（例えば、遊園地作業者）は、乗物車両の作動（例えば、乗物経路に沿って発車）することが許可される前に、乗客を目視で検査する、及び／又は乗客の拘束システムを引き寄せて拘束システムの適切な作動を確認する。しかしながら、乗物乗客が拘束システムによって適切に固定されていることを保証するためのオペレータによる手動検査の種々の態様は、本発明の実施形態によって克服することができる非効率性に起因して遅延を引き起こす場合がある。例えば、本実施形態は、手動検査に加えて使用して、冗長性を加えて、拘束システムの適切な作動を確認するために使用される技術の効率を高めることができる。
【００１５】
以下で詳細に検討するように、一実施形態において、拘束システムを使用して、１又は２以上の乗客を乗物車両に拘束することができる。拘束システムは、様々な体形及び体の大きさの乗客らに対応するために複数の係合位置に係合することができる。一実施形態において、拘束システムは、拘束システムに埋め込まれた照明システムを含む。照明システムは、拘束システムの様々な構成に基づいて、様々な特性（例えば、色、明度及び温度）の光を放射する様々な光源（例えば、光ファイバ光源、プロジェクタ及び発光ダイオード（ＬＥＤ））を含むことができる。例えば、拘束システムがロック解除構成である場合、照明システムは、対応する乗客が拘束システムに固定されていないことをオペレータに知らせる第１の点灯方式を実行することができる。もしくは、拘束システムがロック構成である場合、照明システムは、対応する乗客が拘束システムに固定されていることをオペレータに知らせる第２の点灯方式を実行することができる。
【００１６】
加えて、照明システムは、作動した（例えば、点灯した）場合、乗物システムのテーマ（ｔｈｅｍｉｎｇ）を付与するライトショーを実行することができる。例えば、照明システムは、乗物システムの背景で演奏される音楽に実質的に適合する光を放射することができる。放射光は、乗物システムに関連したテーマに適合する色とすることができる。
【００１７】
したがって、本明細書で開示した実施形態は、拘束システムに照明システムを組み込むことによって乗物システムの全体的なテーマを強化し、乗客の体験をさらに高める。加えて、照明システムは、乗物システムを作動させて乗物車両を動作させる前に、拘束システムが適切に稼働しているという（例えば、ロック構成で）追加の検査の機能を果たすことができる。拘束システムの効率的な作動及びステータス検査を強化するための本明細書に記載のシステム及び技術を用いることによって、乗物のさらなる処理能力及び他の作動効率が得られる。
【００１８】
図１は、本開示の態様による乗物システム１０の実施形態の側方斜視図を示す。乗物システム１０は、１又は２以上の乗客１２を収容する乗物車両１４を含むことができる。一実施形態において、複数の乗物車両１４は、互いに結合することができる（例えば、リンク機構によって）。一実施形態において、乗物車両１４は、乗物経路１６に沿って進む。乗物経路１６は、乗物車両１４が進む何らかの表面とすることができる。一実施形態において、乗物経路１６は軌道とすることができる。乗物経路１６は、乗物車両１４が進む経路を定める場合又は定めない場合がある。すなわち、一実施形態において、乗物経路１６は、電車軌道上の電車と同様に、乗物車両が進む際に乗物車両１４の動き（例えば、方向、速度及び／又は方位）を制御することができる。別の実施形態において、乗物車両１４が誘導される経路を制御するシステムが存在することができる。例えば、乗物経路１６は、開放面とすることができ、この開放面は、乗客１２が乗物車両１４上に存在する制御システムによって乗物車両１４の動きの特定の態様を制御することを可能にする。代替的に又は付加的に、制御システムは、開放面上に存在することができ、乗客１２は、開放面を制御して乗物車両１４を目標軌道において操縦することができる。
【００１９】
さらに、乗物システム１０は、任意数の乗物乗客１２に対応することができる乗物車両１４を含むことができる。例えば、例示する実施形態は、各々２人の乗物乗客１２に対応する５つの乗物車両１４を示す。別の実施形態において、乗物システム１０は、任意数の乗物車両１４を含むことができる。例えば、乗物システム１０は、２、４、１０、２０、又は任意数の乗物車両１４を含むことができ、各乗物車両１４は、乗客１２の様々な範囲に対応することができる。例えば、第１の乗物車両１４は、２人の乗客に対応することができ、第２の乗物車両１４は、４人の乗客１２に対応することができ、第３の乗物車両１４は、６人の乗客１２に対応することができ、別の乗物車両１４は、任意の適切な数の乗客１２に対応することができる。
【００２０】
以下で詳細に検討するように、乗物車両１４は、照明特徴部を有する拘束システム１８を含むことができる。一実施形態において、拘束システム１８は、乗客１２のひざより上方に配置することができ、拘束システム１８は、乗客１２を乗物車両１４に固定するために力を乗客１２のひざに掛けるようになっている。一実施形態において、拘束システム１８は、上半身を対応する座席に対して固定するために乗客の肩部に引き寄せられる胴ハーネスを含む。
【００２１】
何らかの適切な拘束システムを利用できることに留意されたい。例えば、拘束システムは、乗客の頭部上に適合可能な頭上拘束機構を含むことができ、拘束システムは、乗物乗客に力を及ぼすことができるようになっている。力は、乗物乗客に下向きの力成分をもたらす垂直ベクトル成分と、乗物乗客の胴体に対して前後方向の力成分をもたらす前後方向ベクトル成分とを有することができる。
【００２２】
図２は、本開示の態様による、図１の乗物システム１０の乗物車両１４の実施形態の側方斜視図を示す。乗客１２は、乗物車両１４の中に着座して拘束システム１８によって固定されることができるが、乗物車両１４は、前後軸２０（例えば、進行方向）と実質的に平行に配向された経路１６に沿って進むことができる。一実施形態において、拘束システム１８は、力を前後軸２０、横軸２２、垂直軸２４、又はその任意の組み合わせに沿って乗客１２に力を及ぼすことができる。このため、拘束システム１８は、乗客１２を座席２８及び背もたれ２６に固定する力を提供することができる。例えば、乗客１２は、拘束システム１８によって背中が背もたれ２６上へ押し付けられるように乗物車両１４の中に着座することができる。実施形態において、背もたれ２６及び座席２８は、（例えば、ポリウレタン）発泡体、綿、ゴムなどの詰め物材で作製することができる。
【００２３】
一実施形態において、乗物システム１０は制御システム３０を含む。一実施形態において、制御システムは制御装置３２を含む。各乗物車両１４は、それぞれの制御装置３２と関連づけることができる。一実施形態において、制御装置３２は、複数の乗物車両１４を制御する中央制御装置とすることができる。制御装置３２は、プロセッサ３４、メモリデバイス３６及び記憶装置３８を含むことができる。一実施形態において、制御装置３２は、拘束システム１８に組み込むことができる。
【００２４】
乗物システム１０は、制御システム３０の制御を支援することができる基地局制御装置４０を含むことができることに留意されたい。基地局制御装置４０は、プロセッサ３４、メモリデバイス３６及び記憶装置３８を含むことができる。一実施形態において、制御装置３２及び基地局制御装置４０は、任意の適切なプロトコルを超えて無線通信を可能にするそれぞれの送受信機４１によって通信可能に結合することができる。別の実施形態において、基地局制御装置４０及び制御装置３２は、有線接続によって通信可能に結合される（例えば、地上通信ケーブル）。制御装置３２及び／又は基地局制御装置４０は、乗物システム１０の状態が監視される品質チェックポイントとして機能することができる。例えば、基地局制御装置４０は、制御装置３２、乗物車両１４上のセンサーなどからデータを受信して、拘束システム１８がロック構成にあるか又はロック解除構成にあるかを判定することができる。さらに、基地局制御装置４０のオペレータは、乗物車両１４の速度、乗物システム１０の走行時間、照明システムの光特性、乗物システム１０の他の適切な態様を手動で制御することができる。
【００２５】
制御装置３２及び基地局制御装置４０の一方又は両方のプロセッサ３４は、拘束システム１８をロックするための、照明システムを使用するための、及び拘束システム１８をロック解除するためのソフトウェアなどのソフトウェアを実行するために使用することができる。さらに、プロセッサ３４は、乗物システム１０に関する開始時間及び終了時間を決定することができる。プロセッサ３４は、複数のマイクロプロセッサ、１又は２以上の「汎用」マイクロプロセッサ、１又は２以上の専用マイクロプロセッサ及び／又は１又は２以上の特定用途向け集積回路（ＡＳＩＣ）、又はその何らかの組み合わせを含むことができる。例えば、プロセッサ３４は、１又は２以上の縮小命令セット（ＲＩＳＣ）プロセッサを含むことができる。
【００２６】
メモリデバイス３６は、ランダムアクセスメモリ（ＲＡＭ）などの揮発性メモリ、及び／又は、ＲＯＭなどの不揮発性メモリを含むことができる。メモリデバイス３６は、様々な情報を記憶することができ、様々な目的に使用することができる。例えば、メモリデバイス３６は、拘束システム１８をロックする命令、照明システムを使用する命令、様々な点灯方式を実行する命令、及び拘束システム１８をロック解除する命令などのプロセッサ３４が実行するプロセッサ実行可能命令（例えば、ファームウェア又はソフトウェア）を記憶することができる。一実施形態において、メモリデバイス３６に格納された命令によって、プロセッサ３４は、照明システムから放射される光の特性を制御することができる。
【００２７】
記憶装置３８（例えば、不揮発性記憶装置）は、読取り専用メモリ（ＲＯＭ）、フラッシュメモリ、ハードドライブ、もしくは任意の他の適切な光学記憶媒体、磁気記憶媒体又は半導体記憶媒体、又はその組み合わせを含むことができる。記憶装置４６は、データ（例えば、保守データ、乗物車両１４に関連した位置データ、及び乗車時間データ）、命令（例えば、拘束システムをロック及びロック解除する、照明システムによって光を放射する、及び乗物車両１４を作動させるソフトウェア又はファームウェア）、及び任意の他の適切な情報を記憶することができる。
【００２８】
一実施形態において、制御装置３２が、拘束システム１８がロックされている（例えば、乗客１２が乗物車両１４に固定されるように）と判定した場合、制御装置は、光を放射するように照明システム５０を作動させることができる。一実施形態において、制御装置３２は拘束システム５０に組み込まれている。一実施形態において、制御装置３２が拘束システム１８はロックされていないという第１の指示（例えば、センサー信号）を受信した場合、制御照明システム５０は光を放射することができない（例えば、消灯したままである）。代替的に又は付加的に、制御装置３２が、拘束システム１８がロックされているという何らかの指示を受信しない限り、制御装置３２は、照明システム５０に光を放射できないようにすることができる。制御装置３２が拘束システム１８はロックされているという第２の指示（例えば、センサー信号）を受信する場合、制御装置３２は、照明システム５０に光を放射させる第２の信号を照明システム５０に送ることができる。一実施形態において、照明システム５０は、オペレータが拘束システム１８を把持して引き付ける／押し付けることによって拘束システム１８の係合を手動で試験することを可能にするように機能するハンドルに組み込まれている（例えば、光ファイバによって）。別の実施形態において、照明システム５０は、乗客１２に放射光が直接見えないように拘束システム１８に埋め込むことができる。
【００２９】
図３は、本開示の態様による、拘束システム１８をロック構成で使用する図１の乗物システム１０の乗物車両１４の実施形態の斜視図を示す。さらに、例示する実施形態において、４つの拘束システム１８は、各拘束システム１８が乗物車両１４に１人の乗物乗客１２を固定できるように横軸２２に沿って整列する。一実施形態において、拘束システム１８の各々は、互いに独立してロックすることができる。例えば、１つの拘束システム１８は、ロック解除構成で直立したままとすることができ（例えば、図４に示すように）、一方、他の拘束システム１８は、ロック構成で下方に向くことができる（例えば、図３に例示するように）。一実施形態において、拘束システム１８は、ロック構成である場合、照明システム５０によって光５２を放射することができる。
【００３０】
照明システム５０は、様々な光源を含むことができる。例えば、照明システム５０は、コンパクト蛍光（ＣＦＬ）電球、発光ダイオード（ＬＥＤ）電球、ハロゲン電球、蛍光電球、高輝度放電（ＨＩＤ）球、プロジェクタ装置、及び／又は光５２を放射する任意の適切な照明を含むことができる。光５２は、任意の適切な色、明度及び温度とすることができる。一実施形態において、光５２は、乗物車両１４の全体的テーマに適合することができる。例えば、緑色乗物車両１４については、放射光５２は、縁色とすることもできる。一実施形態において、照明システム５０の一部は、異なる色もしくは様々な明度及び温度の光５２を放射することができる。例えば、第１の照明システムは、明るい黄色光を放射することができ、第２の照明システムは、暗い緑色光を放射することができる。
【００３１】
一実施形態において、照明システム５０は、特殊効果を実行することができる。例えば、放射光５２は、音楽のリズムで点滅することができる（例えば、拘束システム１８がロック構成である場合）。一実施形態において、光システム５０は、乗客１２の前に画像を表示するプロジェクタを含むことができる（図１〜図２）。異なる光特性（例えば、色、明度及び温度）を利用して、対応する拘束システム１８のステータスを示すことができる。例えば、様々な光の色調、明度、温度又は色は、異なるレベルの係合を示すことができる（例えば、赤色光は、拘束システム１８が係合していないことを示し、紫色光は、大柄な乗客１２に対する固定ロックを示し、オレンジ光は、小柄な乗客１２に対する固定ロックを示すことができる）。
【００３２】
さらに、拘束システム１８は、何らかの適切なロック機構６０を含むことができる。例えば、ロック機構６０は、歯止めの周りに回転することができる歯車を含むラチェットシステムとすることができ、歯車及び歯止めが基部に回転可能に固定される。ラチェットシステムは、歯部を備える円形歯車を含むことができ、歯止めは、回転方向６２の横軸２２周りの拘束システム１８の回転を防止するために歯部と係合することができる。一実施形態において、ラチェットシステムは、例えば、頭上構成要素６６が回転方向６２に回転する際に、拘束システムを異なる係合位置にロックすることができる。すなわち、拘束システムは、頭上構成要素をロック構成に係合するために、回転方向６２に沿った複数の係合位置を含むことができる。
【００３３】
一実施形態において、ロック機構６０は、例えば、拘束システム１８が特定の角距離を移動した後にボルト組立体によって拘束システム１８をロックするように作動させることができる、作動油圧ポンプ及び油圧シリンダを含む油圧システムとすることができる。さらに、油圧ポンプは、ボルトに係合して拘束システム１８をロックするようにピストンを作動させることができる作動油を押し出すことができる。一実施形態において、拘束システム１８がロックされる場合（例えば、ボルトによって）、制御装置３２により、照明システム５０は、ロックされた拘束システム１８に対応する適切な光特性の光５２を放射することができる。
【００３４】
一実施形態において、ロック機構６０は、対応する開口部に電気的に係合させることができる一連のソレノイド及びピンを含むことができる。ロック機構６０は、複数のロック位置を可能にすることができ、これにより、拘束システム１８は、広範囲の体形及び体の大きさの様々な乗客１２を固定できる。
【００３５】
一実施形態において、ロック機構６０は電磁ロックを含む。電磁ロックは、ロック装置（例えば、電磁石を含む）及び電機子プレートを含む。このため、一実施形態において、ロック機構６０は、「フェイルセキュア」とすることができ、ロック機構６０への電力が無くなった場合にはロック機構６０はロック状態を維持することができる。
【００３６】
図４は、本開示の態様による、図３の拘束システム１８をロック解除構成で使用する図１の乗物システム１０の乗物車両１４の実施形態の斜視図を示す。上述したように、拘束システム１８がロック解除構成であることを示す第１の指示を制御装置３２が受け取った場合、制御装置３２は、照明システム５０に光を放射させないようにすることができる。別の実施形態において、制御装置３２は、照明システム５０が、拘束システム１８のロック構成（例えば、ロック構成又はロック解除構成）に応じて各色（又は他の各特性）間で切り替わるようにすることができる。例えば、制御装置３２が拘束システム１８はロック解除構成であると判定する場合、制御装置３２は、対応する照明システム５２に、第１の特性セット（例えば、第１の色、第１の色調、第１の明度、第２の色調、及び第１の温度）を有する光を放射させることができ、制御装置３２が拘束システム１８はロック構成であると判定する場合、制御装置３２は、対応する照明システム５２に、第２の特性セット（例えば、第２の色、第２の明度、及び第２の温度）を有する光を放射させることができる。一実施形態において、制御装置３２が拘束システム１８はロック解除構成であると判定する場合、制御装置３２は、照明システム５０に光５２を放射させないようにすることができる。
【００３７】
一実施形態において、制御装置３２が拘束システム１８はロック解除構成であると判定する場合、制御装置３２は、照明システム５０に第１の点灯方式を実行させることができる。例えば、第１の点灯方式は、点滅赤色光を放射することを含むことができる。一実施形態において、第１の点灯方式は、拘束システム１８がロック解除構成であるという指示の機能を果たす赤色光を放射することを含むことができる。さらに、制御装置３２が拘束システム１８はロック構成であると判定する場合、制御装置３２は、照明システム５０に第２の点灯方式を実行させることができる。例えば、第２の点灯方式は、緑色光を放射することを含むことができる（例えば、拘束システムがロック構成である指示として）。
【００３８】
図５は、拘束システム１８及びその対応する照明システム５０の実施形態の概略側面図を示す。より具体的には、一実施形態において、拘束システム１８は、頭上構成要素６６、背もたれ２６及び座席２８を含む。さらに、上述したように、ロック機構６０（例えば、ラッチ機構、油圧ロックシステム及び／又は磁気ロックシステム）は、拘束システム１８がロック構成とロック解除構成との間で行ったり来たりすることを可能にする。
【００３９】
一実施形態において、照明システム５０は、頭上構成要素６６上のスロット６８に埋め込まれている。一部の実例において、スロット６８は、放射光５２の一部をフィルタリングすることができる。例えば、放射光５２をフィルタリングすると、放射光５２の視認をより快適にすることができる（例えば、防眩することで）。一実施形態において、スロット６８は、放射光５２の光特性を変更することができるフィルタリング構成要素を含むことができる。
【００４０】
スロット６８は、光５２を遮断することができるスクリーン６９（例えば、液晶ディスプレイ）を含むことができる。スクリーン６９は、制御装置３２と通信可能に結合することができ、スクリーン６９は、制御装置３２によって実行された命令に基づいて開く又は閉じることができるようになっている。例えば、スクリーン６９は、拘束システム１８がロック解除構成である場合に閉じることができ、照明システム５０は実質的に検出可能な光５２を放射しないので、拘束システム１８はロック解除構成であるという視覚的指示が提供される。スクリーン６９は、拘束システム１８がロック構成である場合に開くことができるので、放射光５２をより簡単に検出することができる。一実施形態において、照明システム５０は、光５２を連続的に放射させることができるが、光５２は、スクリーン６９が開いている場合にのみ明瞭に視認可能である（例えば、遊園地係員に対して）。
【００４１】
一実施形態において、拘束システム１８は、送受信機７０及び電源７２を含む。照明システム５０は、電力を電源７２から受け取ることができる。一実施形態において、電源７２はバッテリである。電源７２は、乗物車両１４の電気的構成要素の全て又は一部に給電するために乗物車両１４の前部に置くことができる。各拘束システム１８は、対応する構成要素に給電することができる電源７２を含むことができることに留意されたい。一実施形態において、電源７２は、無線で充電する、回生制動により充電する、又は任意の適切な充電技法によって充電することができる。
【００４２】
さらに、近接センサーセット７４は、電源７２から給電することができる。近接センサーセット７４の近接センサーと感知構成要素との間のデータは、送受信機７０を介して通信することができる。一実施形態において、近接センサーセット７４は、制御装置３２に（例えば、それぞれの送受信機によって）通信可能に結合することができる。一実施形態において、近接センサーセット７４は、頭上構成要素６６上の近接センサー７６及び座席２８上の感知構成要素７８を含む。一実施形態において、感知構成要素７８は、近接センサー７６と関連して使用されるエミッタを含むことができ、エミッタは、拘束システムを適切な係合位置に係合するために使用された近接センサー７６によって検出される信号を放射するようになっている。近接センサーセット７４は、拘束装置が係合位置にある場合にロック構成を示す信号を検出することができる。拘束システムの異なる実施形態において異なる構成を使用することができることに留意されたい。例えば、感知構成要素は、近接センサー７６によって検出することができるバーコード、磁石、又は何らかの適切なエミッタとすることができる。
【００４３】
一実施形態において、制御装置３２により、ロック機構６０は近接センサー７６から受け取ったデータに基づいてロック又はロック解除することができる。例えば、制御装置３２は、近接センサー７６と感知構成要素７８との間の距離８０を示す第１のセンサーデータセットを受け取ることができる。一実施形態において、距離８０が閾値未満である場合、制御装置３２は、ロック機構６０をロック構成（例えば、乗客を拘束する適切な係合位置）に係合するために、ロック機構６０にロック信号を送ることができる。例えば、近接センサー７６が感知構成要素７８は近接センサー７６に近接していることを検出する場合、制御装置３２は、ロック機構６０を適切な係合位置に係合するために、この近接を示す信号を受け取ることができる。一実施形態において、制御装置３２により、照明システム５０は、ロック機構６０をロック構成に係合することに応答して光５２を放射することもできる。一実施形態において、制御装置３２により、照明システム５０は、ロック機構６０をロック構成に係合することに応答して第２の特性セットを有する光５２を放射することができ、これは、センサー（例えば、近接センサーセット７４）によって検出することもできる。一実施形態において、制御装置３２により、照明システム５０は、ロック機構６０をロック構成に係合することに応答して第２の点灯方式を実行することができる。このため、照明システム５０は、拘束システム１８がロック構成である結果として光５２を放射することができる。
【００４４】
距離８０が閾値よりも大きい場合、制御装置３２は、ロック信号をロック機構６０に送ることができず、ロック機構６０は、非係合でロック解除構成のままである。一実施形態において、距離８０が閾値よりも大きい場合、制御装置３２は、ロック解除信号をロック機構６０に送ることができ、ロック機構６０は、非係合でロック解除構成のままである。しかしながら、オペレータは、ロック機構６０を距離８０に関係なくロック構成に係合できることに留意されたい。一実施形態において、制御装置３２により、照明システム５０は、ロック機構６０をロック解除構成に維持することに応答して光５２を放射しないこともできる。このため、照明システム５０は、拘束システム１８がロック解除構成である結果として光５２を放射することができない。一実施形態において、制御装置３２により、照明システム５０は、ロック機構６０が非係合でロック機構６０をロック解除構成に維持することに応答して第１の特性セットを有する光５２を放射することができる。一実施形態において、制御装置３２により、照明システム５０は、ロック機構６０が非係合でロック機構６０をロック解除構成に維持することに応答して第１の点灯方式を実行させることができる。
【００４５】
図６は、本開示の態様による、図３の抑制システム１８に関連したロック機構６０の実施形態の概略図を示す。上述したように、ロック機構６０は、例えば、それぞれの送受信機７０、４１を経由して制御装置３２に通信可能に結合することができる。一実施形態において、照明システム５０は、同様に制御装置３２に通信可能に結合される。一実施形態において、ロック機構６０は、ラチェットシステムを含むラッチ機構である。ラチェットシステムは、歯止め８４の周りで回転する歯車８２を含むことができ、歯車８２及び歯止め８４は、基部８６に対して回転可能に固定される。一実施形態において、歯車８２は、複数の歯部８８を含み、歯部８８は、ロック機構６０の周りの回転方向６２の頭上構成要素６６の回転を防止するために、歯止め８４と係合することができる。歯部８８は、制御装置３２が拘束システム１８をロック構成に係合させる場合に作動する特定の回路特徴部を含むことができる。代替的に、歯止め８４は、制御装置３２に通信可能に結合することができ、歯止め８４は、拘束システム１８の回転を防止するために歯部８８と係合するように、制御装置３２によって稼働することができ、結果的に拘束システム１８は係合されてロック構成になる。
【００４６】
制御装置３２が拘束システム１８はロック解除構成であるという指示を受け取った場合（又は、制御装置が拘束システムに係合してロック解除構成になった後）、制御装置３２により、照明システム５０は、例えば、拘束システム１８がロック解除構成であるとオペレータに知らせるために特定の方法で作動することができる。さらに、制御装置３２が拘束システム１８はロック構成であるという指示を受け取った場合、制御装置３２により、照明システム５０は、例えば、拘束システム１８がロック構成であるとオペレータに知らせるために別の方法で作動することができる。例示する実施形態において、ロック機構６０はラチェットシステムであるが、ロック機構６０は、他の適切なロック機構の中で、油圧システム、一連のソレノイド及びピン、電磁ロックとすることができることに留意されたい。さらに、拘束システム１８は、これらのロック機構の何らかの組み合わせを乗物車両１４に組み込むことができる。
【００４７】
図７及び図８は、本開示の態様による方法の流れ図１００、２００を示し、これにより、照明システム５０（図２〜図６）は、それぞれ点灯方式を実行するか又は照明システム５０を作動させることができる。以下で検討するように、点灯方式は、拘束システム１８（図１〜図６）がロック構成であるか又はロック解除構成であるかに基づくことができる。一実施形態において、照明システム５０は、拘束システム１８のロック構成の指示を受け取ることができる（処理ブロック１０２、２０２）。拘束システム１８のロック構成は、ロック又はロック解除とすることができる。一実施形態において、制御装置３２は、乗物システム１０の作動時（図１）及び乗物システム１０の非作動時に拘束システム１８のロック構成の指示を受け取ることができる。
【００４８】
上述したように、一実施形態において、拘束システムは、頭上構成要素６６（図５）上の近接センサー７６（図５）及び座席２８（図２及び図５）上の感知構成要素７８（図５）を含む近接センサーセット７４（図５）を含む。近接センサーセット７４は、ロック係合を検出するセンサーを含むこともできる。一実施形態において、拘束システム１８のロック構成の指示を受け取ることは、近接センサー７６と感知構成要素７８（例えば、エミッタ）との間の距離８０（図５）の指示を受け取ることを含むことができる。制御装置３２（図２〜図６）は、距離８０が閾値未満であることに応答して、ロック機構６０を係合させてロック構成にすることができる。一実施形態において、制御装置３２は、さらに距離８０に無関係にロック機構を係合させてロック構成にすることができる。制御装置３２は、ロック機構が係合してロック構成になるように指示することができ、ロック機構６０が係合してロック構成になっているという指示を受け取ることができる。すなわち、一実施形態において、ロック機構６０は、近接センサーセット７４が乗客１２に近接していることを検出することに応答して（図１〜図２）、係合してロック構成になることができる。制御装置３２は、ロック機構６０をロック構成に作動させ、ロック機構６０が係合してロック構成になっているという指示をセンサーセット７４の他のセンサーから受け取ることができる。ロック構成は、異なる体形及び体の大きさの様々な乗客に対応するために様々な係合位置を含むことができる。
【００４９】
さらに、拘束システム１８は、拘束システム１８が乗客１２に及ぼす圧力を検出する触覚センサーを含むことができる。一実施形態において、圧力が圧力閾値を超える場合、制御装置３２は、拘束システム１８をロック構成に作動させることができる。制御装置３２は、このロック機構６０が係合してロック構成になっているという指示を受け取ることができる。
【００５０】
制御装置３２は、拘束システム１８のロック構成の指示を受け取った後、拘束システム１８がロック構成であるか否かを判定することができる（決定ブロック１０４、２０４）。一実施形態において、拘束システム１８がロック構成であるか否かを判定することは、ロック機構６０が拘束システム１８の動き（例えば、回転又は並進）に逆らうか又は防止するように、ロック機構６０が係合されているか否かを判定することを含む。ロック機構６０が係合される場合、ロック機構６０は、乗客１２の動きを低減するように頭上構成要素６６の動きに逆らうか又は防止することができる。上述したように、ロック機構６０は、拘束システム１８のロック及びロック解除を可能にするために、他の適切なロック機構の中で、ラチェットシステム、油圧システム、一連のソレノイド及びピン、電磁ロックを含むことができる。
【００５１】
上述したように、制御装置３２が拘束システム１８はロックされていない（ロック解除構成である）と判定した場合、制御装置３２は、照明システム５０に第１の点灯方式を実行させることができる（処理ブロック１０６）。例えば、第１の点灯方式は、点滅赤色光を放射することを含むことができる。放射された赤色光は、ロック機構６０がロック解除構成であるとオペレータによって理解される指示の機能を果たすことができる。一実施形態において、第１の点灯方式は、光５２を放射しないことを含むことができる（処理ブロック２０６）。このため、制御装置３２が拘束システム１８はロック構成ではないと判定した場合、制御装置３２は、照明システム５０が光５２を放射（図３及び図５）しないように、照明システムを消灯に維持することができる（処理ブロック２０６）。
【００５２】
上記で詳細に説明したように、拘束システム１８がロック構成である場合、照明システム５０は、第２の点灯方式を実行することができる（処理ブロック１０８）。第２の点灯方式は、緑色光を放射することを含むことができる。一実施形態において、拘束システム１８がロック構成である場合、照明システム５０は、点灯して光５２を放射することができる（処理ブロック２０８）。一実施形態において、光５２を放射してライトショーを提供することができる。一実施形態において、光５２は、乗物車両１４の周りで演奏されている音楽のリズムと同期して点滅することができる。さらに、第１の点灯方式は、拘束システムがロックされている場合、及び／又は、乗物車両１４が移動を始めるときに開始することができるライトショーを含むことができる。ライトショーは、乗物システム１０のテーマに関連した形状（ｆｉｇｕｒｅ）を放射及び表示することができる光ディスプレイを含むことができる。
【００５３】
本明細書で提供及び請求される技術は、本技術分野を明白に改善し、そのようなものだとして、抽象的、無形的、又は純粋に理論的ではない有形物及び実用的な性質の有形例に言及し、適用される。さらに、本明細書の最後に添付される何れかの請求項が「．．．（機能）を（実施）するための手段」又は「．．．（機能）を（実施）するためのステップ」と指定された１又は２以上の構成要素を含む場合、こうした構成要素は、３５．Ｕ．Ｓ．Ｃ．１１２条（ｆ）の下で解釈されるべきことを意図する。しかしながら、任意のその他の方法で指定された構成要素を含む何れかの請求項に対しては、こうした構成要素は、３５．Ｕ．Ｓ．Ｃ．１１２条（ｆ）の下で解釈されるべきではないことを意図する。
【００５４】
本明細書では本実施形態の特定の特徴のみを示して説明してきたが、当業者であれば、多くの修正及び変更に想到するであろう。したがって、添付の請求項は、全てのこのような修正及び変更が本開示の真の精神に含まれるものとして、これらを網羅するものであることは理解されたい。更に、開示する実施形態の特定の要素を相互に組合せて又は置き換えることができる点は理解されたい。
【符号の説明】
【００５５】
１８  拘束システム
２６  背もたれ
２８  座席
３２  制御装置
３４  プロセッサ
３６  メモリデバイス
３８  記憶装置
４０  基地局制御装置
５０  照明システム
５２  光
６０  ロック機構
６６  頭上構成要素
６８  スロット
６９  スクリーン
７０  送受信機
７２  電源
７４  近接センサーセット
７６  近接センサー
７８  感知構成要素
８０  距離
【図１】
2020519515.tif 000003
【図２】
2020519515.tif 000004
【図３】
2020519515.tif 000005
【図４】
2020519515.tif 000006
【図５】
2020519515.tif 000007
【図６】
2020519515.tif 000008
【図７】
2020519515.tif 000009
【図８】
2020519515.tif 000010
【国際調査報告】
2020519515.tif 000011
2020519515.tif 000012